(57)【要約】【課題】  コード類の余長の収納作業が容易なうえ、着脱自在なため、自由に調節可能、ねじれても収納を許容する、構造が簡単なため安価なものとなり、見た目にもすっきりした、小型且つ構造が簡易なコード類の巻取り留め具を提供する。【解決手段】    基軸１に平行に開削した細長な取付孔４、を有する基軸１に対し、直角に配置した支軸２ａならびに支軸２ｂを設け、かつ、対抗軸３を基軸１に平行に設けることにより、中心部が中空な梯子状に組み合わされた躯体部Ａと、帯状の面ファスナー（雄面）５ａの背面中一方の端面側に、一片状の面ファスナー（雌面）５ｂを背面あわせに配置し、縫合糸７ａで縫合することからなるバンド部Ｂの、面ファスナー（雌面）５ｂが取り付けられた箇所と反対側の一端を、躯体部Ａのうち取付孔４に通し、折り返して筒部６を形成し、縫合糸７ｂで縫着させることにより、躯体部Ａに対して開動自在なバンド部Ｂを取り付けた電源コード類Ｃを束ねることを特徴とするコード類の巻き取り留め具。【選択図】  図１
2005298206.tif 000002
【特許請求の範囲】
【請求項１】
基軸１に平行に開削した細長な取付孔４、を有する基軸１に対し、直角に配置した支軸２ａならびに支軸２ｂを設け、かつ、対抗軸３を基軸１に平行に設けることにより、中心部が中空な梯子状に組み合わされた躯体部Ａと、帯状の面ファスナー（雄面）５ａの背面中一方の端面側に、一片状の面ファスナー（雌面）５ｂを背面あわせに配置し、縫合糸７ａで縫合することからなるバンド部Ｂの、面ファスナー（雌面）５ｂが取り付けられた箇所と反対側の一端を、躯体部Ａのうち取付孔４に通し、折り返して筒部６を形成し、縫合糸７ｂで縫着させることにより、躯体部Ａに対して開動自在なバンド部Ｂを取り付けた電源コード類Ｃを束ねることを特徴とするコード類の巻き取り留め具。
【発明の詳細な説明】
【技術分野】
【０００１】  本発明は、電気機器のコンセント接続コード、電話のモジュラーコード、パソコンのランコードやマウスコード、イヤホーンコード、各種線材など、コード類の余長部分を巻き取る器具に関するものである。
【背景技術】
【０００２】  従来、コードの余長部分は、整理・整頓しにくく、邪魔でもそのまま放置しておくか、紐・針金入りのビニール紐等の結束材で結束していたが、一度結束した後に余長部分を調整する必要が生じると結束を解かねばならず、結束材にもねじれが生じやすく煩わしい。
また、これら各種コードの余長部分を１本の中心軸回りに渦巻き状に巻き取り、収納する箱体と、その箱体を被っておくための蓋体を有した発明（特許文献１、２，３，４、５）が知られている。【０００３】
【特許文献１】特開平９−０８４２４４号公報
【特許文献２】特開平９−１０３０２４号公報
【特許文献３】特開２０００−０４８５５４号公報
【特許文献４】特開２００１−３０２１０４号公報
【特許文献５】実用新案登録第３０２４０６１号公報
【発明の開示】
【発明が解決しようとする課題】
【０００４】  しかしながら、上記従来の発明は、余長部分の格納形態がすべて円形の蓋体を有しているためコード類の容積に対して格納部分が狭小となり余長部分の調整が難しい。【０００５】  また、コード類を１本の中心軸回りに渦巻き状に巻き取るためコード類のねじれが生じやすいので容積が膨らみ、収納する箱体や蓋体内に収まりにくい。【０００６】  なお、特開２００１−３０２１０４公報に関しては収納する箱体や蓋体内に収まるよう柔軟性を有して反転自在としたドーム状の被せ蓋を用意し、収まりやすい工夫が施されてはいるが、内部に形成された収納空間の容積には限りがあるため、調整したいコードの余長部分がそのまま放置される課題を有している。【０００７】  また、特開平０９−０８４２４４公報に関してはコード類のねじれを生じさせない構造となっているが、各種の機構を具備しているので、構造が複雑なものとなって、高価なものになってしまうという課題を有していた。【０００８】  本発明は以上の問題点を解決しようとするものである。
【課題を解決するための手段】
【０００９】  本発明では、上記目的を達成するために、基軸１に平行に開削した細長な取付孔４、を有する基軸１に対し、直角に配置した支軸２ａならびに支軸２ｂを設け、かつ、対抗軸３を基軸１に平行に設けることにより、中心部が中空な梯子状に組み合わされた躯体部Ａと、帯状の面ファスナー（雄面）５ａの背面中一方の端面側に、一片状の面ファスナー（雌面）５ｂを背面あわせに配置し、縫合糸７ａで縫合することからなるバンド部Ｂの、面ファスナー（雌面）５ｂが取り付けられた箇所と反対側の一端を、躯体部Ａのうち取付孔４に通し、折り返して筒部６を形成し、縫合糸７ｂで縫着させることにより、躯体部Ａに対して開動自在なバンド部Ｂを取り付けたものである。【００１０】  以上を特徴とする巻き取り留め具である。
【発明の効果】
【００１１】  本発明は、以上に述べたように構成されているので構造が単純なため、コード類が巻き取り易く、コード類を束ねやすい。従って、コード類のねじれが生じても巻き取りにくいというわずらわしさがない。【００１２】  また、蓋体を有しないので収容容積を懸念することがなく余長部分の調整が容易である。【００１３】  本発明を使用する事によって、乱雑さが無くなり、各機器の配線が明確になる。【００１４】  これら有用な効果をもつ本発明は構造が簡単なため極めて安価な提供が可能である。
【発明を実施するための最良の形態】
【００１５】  以下、図１〜図６に示す第１例により、本発明の実施の形態を説明する。【００１６】  図１および図２は本発明の名称である巻き取り留め具の斜視図を正面からと背面より、図３は図１を上方から俯瞰した平面図を、図４は本発明の分解斜視図を示す。【００１７】  また、図５および図６は本発明の使用状態を示す斜視図である。【００１８】  躯体部Ａは、基軸１に対し、直角に配置した支軸２ａならびに支軸２ｂを設け、かつ、対抗軸３を基軸１に平行に設けることにより、中心部が中空な梯子状に組み合わされた硬質の合成樹脂などからなる一団の躯体で、基軸１に平行に開削した細長な取付孔４を有する。（図４参照）【００１９】  バンド部Ｂは、帯状の形態をもつ面ファスナー（雄面）５ａの背面中一方の端面側に、一片状の面ファスナー（雌面）５ｂを背面あわせに配置し、縫合糸７ａで縫合することからなる。（図３、４参照）【００２０】  バンド部Ｂの一端、すなわち帯状の形態をもつ面ファスナー（雄面）５ａの一方の端面側に取り付けられた一片状の面ファスナー（雌面）５ｂが配置されている箇所と反対側の一端を、躯体部Ａのもつ取付孔４に通し、折り返して筒部６を形成し、縫合糸７ｂで縫い合わせ、躯体部Ａに対して開動自在なバンド部Ｂを縫着させる。（図１、２、３参照）【００２１】  なお、図１において面ファスナー（雄面）５ａは背面を、面ファスナー（雌面）５ｂは正面を向いて示しているため縫合糸７ｂは筒部６の背後に隠れているが、図２は図１を背面より示しているため、縫合糸７ｂが現出しているものの筒部６ならびに面ファスナー（雌面）５ｂは面ファスナー（雄面）５ａの背後に隠れてしまう。そのため図３を用意し、本発明を構成する各部品を俯瞰できるよう作図した。【００２２】  また、その他の実施形態として、図７に示したように基軸１に取付孔４を複数箇所設けた上、バンド部Ｂを複数取り付けたり、図８に示したように支軸２ａならびに支軸２ｂに緩やかな曲線を設けたり、図９および図１０に示したように躯体部Ａは取付孔４を有しはするが、躯体部Ａの中心部を中空な梯子状とせずに板状とすることができるが、単純な構造とする目的で図１のとおり一般的には梯子状とするのが好ましい。【００２３】  本発明は、以上の構成によりなっている。【００２４】  本発明を使用するときは、躯体Ａの平行に配置された支軸２ａならびに支軸２ｂに電源コード類Ｃの余長部分を図５のとおり上下方向に巻きつけた後、バンド部Ｂをコードの余長部分が巻きつけられた躯体Ａごと図６のとおり巻回す。【００２５】  図６のとおり、バンド部Ｂをその限度まで巻回し終わると面ファスナー（雄面）５ａの内側に配置された縫合糸７ａの背後の位置にある面ファスナー（雌面）５ｂが外側に向いた面ファスナー５ａ（雄面）に接着し、躯体Ａごと電源コード類Ｃが、留め束ねられることとなるが、面ファスナー５ａ（雄面）と面ファスナー（雌面）５ｂは相互に係脱自在な材質であるため、適時電源コード類Ｃの余長部分の調整の上、巻回し直しが可能である。【００２６】  最後に面ファスナー５ａと面ファスナー５ｂに記載した雄面、雌面に関して一般的に雄面はフック面を、雌面はループ面を指すが、当発明においては面ファスナー５ａをループ面、面ファスナー５ｂをフック面としても差し支えない。
【図面の簡単な説明】
【００２７】
【図１】本発明の正面斜視図
【図２】本発明の背面斜視図
【図３】本発明の平面図
【図４】本発明の分解斜視図
【図５】本発明の使用状態を示す斜視図
【図６】本発明の使用状態を示す斜視図
【図７】本発明の他の実施形態を示す斜視図
【図８】本発明の他の実施形態を示す斜視図
【図９】本発明の他の実施形態を示す斜視図
【図１０】本発明の他の実施形態を示す斜視図
【符号の説明】
【００２８】        １    基軸
２ａ  支軸
２ｂ  支軸
３    対抗軸
４    取付孔
５ａ  面ファスナー（雄面）
５ｂ  面ファスナー（雌面）
６    筒部
７ａ  縫合糸
７ｂ  縫合糸
Ａ    躯体部
Ｂ    バンド部
Ｃ    電源コード類
【図１】
2005298206.tif 000003
【図２】
2005298206.tif 000004
【図３】
2005298206.tif 000005
【図４】
2005298206.tif 000006
【図５】
2005298206.tif 000007
【図６】
2005298206.tif 000008
【図７】
2005298206.tif 000009
【図８】
2005298206.tif 000010
【図９】
2005298206.tif 000011
【図１０】
2005298206.tif 000012